(57)【要約】【課題】  取引カードによる精算処理において、精算処理の追跡調査が容易で取引の真正を証明する証拠能力の高い店舗控用レシートを発行する印刷装置を提供すること。【解決手段】  印刷装置３０に、画像読取部６２を設けて、必要に応じて、取引カードの画像データを取得し、取得した画像データを店舗控用レシート１０上に印刷することにより、使用された取引カードの画像と署名とを後日確認可能とした。また、署名済み店舗控用レシート１０を画像記憶部６０に記憶しておき、画像検索制御部５６により容易に検索することができるようにして、追跡調査を容易にした。【選択図】  図５
2006099172.tif 000002
【特許請求の範囲】
【請求項１】
外部装置とデータ通信を行う通信部と、
所定の命令に基づいて、所定の位置に設けられた撮像台上に配置された取引カードの画像データを取得する画像読取部と、
取得した前記画像データを記憶する画像記憶部と、
前記通信部を介して受信した取引データ及び所定の印刷命令に基づいて、前記画像記憶部に記憶した前記画像データを含む店舗控用レシートの印刷データを生成する印刷制御部と、
前記印刷制御部の制御の下、生成した前記店舗控用レシートの印刷データを所定の印刷用紙に印刷し、前記画像データを印刷した店舗控用レシートを発行する印刷部と、
前記各部を統括制御する統括制御部と、
を備えることを特徴とする印刷装置。
【請求項２】
前記統括制御部は、撮像指示信号を受信することにより、前記画像読取部で前記撮像台上に載置された取引カードを撮像し、得られた画像データを前記画像記憶部に記憶し、記憶した前記画像データを前記店舗控用レシートの所定の位置に印刷するよう制御することを特徴とする請求項１に記載の印刷装置。
【請求項３】
前記撮像台は、正面に設けられており、後方に所定の角度を持って傾斜する透明な材料の平面プレートからなり、前記画像読取部は、該平面プレートの内側に設けられ、前記平面プレート面上に載置された前記取引カードに正確に焦点が合うように配置されたエリアセンサからなることを特徴とする請求項１または２に記載の印刷装置。
【請求項４】
前記印刷装置は、レシートプリンタからなり、前記店舗控用レシートの印刷データを、レシート用紙上に印刷することを特徴とする請求項３に記載の印刷装置。
【請求項５】
前記撮像指示信号は、前記取引カードが前記撮像台に載置されたことを検知するセンサからの出力信号からなることを特徴とする請求項４に記載の印刷装置。
【請求項６】
さらに操作入力部を備え、前記撮像指示信号は、前記操作入力部の操作による入力信号からなることを特徴とする請求項４に記載の印刷装置。
【請求項７】
精算端末装置と、取引カード読取装置と、画像読取部を有する印刷装置とを備える精算システムにおいて、
（ａ）取引データを入力する工程と、
（ｂ）取引カード読取装置により取引カード電子記録データを読み取る工程と、
（ｃ）前記電子記録データの読取エラーが発生した場合に、前記画像読取部により前記取引カードの画像データを取得する工程と、
（ｄ）前記画像読取部により前記画像データを取得したときには、店舗控用レシートに少なくとも前記画像データ及び署名欄を印刷して、発行する工程と、
（ｅ）前記店舗控用レシートが署名されて返却されたときに、精算処理を完結させる工程と、
を備えることを特徴とする取引カードによる精算処理方法。
【請求項８】
前記工程（ｃ）が、精算処理時、常に前記取引カードの画像データを取得し印刷することを特徴とする請求項７に記載の取引カードによる精算処理方法。
【請求項９】
前記工程（ｃ）乃至前記工程（ｄ）の画像読取り処理及び、前記店舗控用レシートに画像データを印刷する処理は、前記印刷装置に予め記憶された処理手順に従い、前記印刷装置により独立して実行することを特徴とする請求項７又は８に記載の取引カードによる精算処理方法。
【発明の詳細な説明】
【技術分野】
【０００１】
本発明は、クレジットカード等の取引カードによる取引処理に関し、特にクレジット取引において発行する店舗控用の伝票またはレシート（本明細書では、単に「店舗控用レシート」と称する）を発行する印刷装置及び取引カードの精算処理方法に関する。
【背景技術】
【０００２】
スーパーマーケット、その他の小売店、またはレストラン等の飲食店において、顧客の購入商品、又は取引の会計処理（精算処理）は、顧客の希望により、クレジットカード会社が発行したクレジットカード又は商品またはサービスを提供する企業が発行した自社専用の取引カード等を用いて、信用取引により支払い料金の精算が行われることがある（本発明では、このような信用取引カードを「取引カード」と称する）。このような場合には、取引カード上に記録された電子記録データを取引カード読取装置により読み取り、読み取った情報に基づいて、取引カードによる所定の精算処理を実効する。
【０００３】
取引カードによる精算、例えば、クレジットカードによる精算は、取引額等に所定の条件に応じてカードの信用照会が行われ、取引に問題がない場合には、印刷装置によりクレジットカードの番号、取引内容の明細、署名欄等が印刷された伝票が発行される。顧客は取引内容を確認した後、印刷内容に問題がなければ、伝票の署名欄に署名する。署名された伝票は、取引の真正を証明する証拠として、店舗により所定期間保管される。
【０００４】
このようなクレジットカードによる精算処理においては、何らかの原因により、クレジットカードの電子記録データを取引カード読取装置により読み取ることができない場合、又は信用照会ができない場合がある。このような場合でも、必要なクレジット情報をオペレータがキー入力して精算処理を続行することができる。その場合には、クレジットカード上に凹凸に刻印されたカード番号(これを「エンボス」と称する)を、インプリンタにより所定の伝票上に物理的に写し取り（転写して）、証拠として保存している（このような転写を、以下「インプリント」と称する）。
【０００５】
一方、カードの画像を機械的に読み取り個人情報としてデータベース化して記憶する技術として、運転免許証の画像を読取り、データベース化する情報収集システムが提案されている（特許文献１参照）
【特許文献１】特開平９−６２８２７号公報
【発明の開示】
【発明が解決しようとする課題】
【０００６】
しかし、特許文献１に記載の技術は、個人情報取得のために画像データを取得するものではあるが、磁気読取装置及びプリンタの機能を融合してクレジットカードの精算処理を効率化することについては、何も開示されておらず示唆されてもいない。
【０００７】
一方、上述のようなインプリントによるカードデータの保存は、クレジットカード（取引カード）のエンボス文字を転写用紙上に擦り付けて転写するため、エンボス文字を磨耗させ、または破損するおそれがある。また、インプリント文字は不鮮明であるという問題に加えて、インプリント操作は面倒な上に不愉快で大きな音を発生させるので、レストラン等の店舗によっては店舗イメージを害するおそれがある等の問題もある。
【０００８】
さらに、近時、特定個人のキャッシュカードやクレジットカードの情報を不法に盗み取り、本物そっくりのカードを偽造して、不正に使用することが頻発している。このような状況下においては、顧客の使用を証明する高い証拠能力を有する証拠資料を保持しておくことが望ましい。信用取引額をクレジット口座から引き落とす際に、顧客が自己のクレジットカード（取引カード）の使用を否定し、支払いを拒否した場合に、店舗控資料の証拠能力が低い場合には信用取引ロスが発生するおそれがあるからである。このような状況に鑑み、取引カードによる精算には、より証拠能力の高い資料を確保しておくことが望まれる。
【０００９】
本発明はかかる従来技術の問題に鑑みてなされたものであり、取引カードによる精算処理において、精算処理の追跡調査が容易で取引の真正を証明する証拠能力の高い店舗控用レシートを発行する印刷装置及び取引カードによる精算処理方法を提供することを目的とする。
【００１０】
さらに本発明は、既にクレジットカード処理機能を有する精算処理システムのプログラムを、ほとんど変更することなく、証明力の高い店舗控用レシートを発行することが可能な印刷装置及び取引カードによる精算処理方法を提供することをその目的とする。
【課題を解決するための手段】
【００１１】
本発明は、印刷装置に、画像読取部を設けて、必要に応じて、取引カードの画像データを取得し、取得した画像データを店舗控用レシート上に印刷することにより、使用された取引カードを後日確認可能とすることができるようにして、上記課題を解決した。
【００１２】
本発明の第１の態様にかかる印刷装置は、外部装置とデータ通信を行う通信部と、所定の命令に基づいて、所定の位置に設けられた撮像台上に配置された取引カードの画像データを取得する画像読取部と、取得した画像データを記憶する画像記憶部と、通信部を介して受信した取引データ及び所定の印刷命令に基づいて、画像記憶部に記憶した画像データを含む店舗控用レシートの印刷データを生成する印刷制御部と、印刷制御部の制御の下、生成した店舗控用レシートの印刷データを所定の印刷用紙に印刷し、カード画像データを印刷した店舗控用レシートを発行する印刷部と、上記各部を統括制御する統括制御部と、を備えることを特徴とする。
【００１３】
この態様によると、印刷装置に画像読取部を備え、必要に応じて取引カードの画像データを取得し、店舗控レシートに印刷することが可能となる。店舗控用レシートは、顧客が署名するものであり、署名の真正が証明されることにより、使用されて取引カードも証明可能となり、より証拠能力が高くなる。また、取引カードの電子記録データが読めずに、取引カード番号がマニュアル入力された場合等における入力ミスも、画像データにより確認することが可能となる。尚、取引データによるすべての取引につき、店舗控用レシートに画像データを取得し印刷するか、電子記録データが読めない場合のみ画像データを取得し印刷するかは、任意に選択可能である。このように、画像読取部により、カードの画像データを取得するので、インプリント用に不鮮明な画像となることも、カードを破損することもなく、また不愉快な音を発生することもない。尚、画像読取部は、ＣＣＤ、ＣＭＯＳ等のエリアセンサが望ましい。エンボス文字の画像を鮮明に撮像するには、ＣＩＳよりもエリアセンサの方が望ましいからである。
【００１４】
本発明の他の態様にかかる印刷装置は、印刷装置を統括制御部が、撮像指示信号を受信することにより、画像読取部で撮像台上に載置された取引カードを撮像し、得られた画像データを画像記憶部に記憶し、記憶した画像データを店舗控用レシートの所定の位置に印刷するよう制御することを特徴とする。撮像信号は、精算端末装置からの撮像命令であっても、印刷装置自身による撮像信号もいずれであってもよい。従って、精算端末装置の制御により、画像データを取得して印刷するような構成とすることも、印刷装置が独立して画像データを取得し印刷するようにすることも可能である。
【００１５】
本発明の他の態様にかかる印刷装置は、撮像台が、正面に設けられており、後方に所定の角度を持って傾斜する透明な材料の平面プレートからなり、画像読取部は、該平面プレートの内側に設けられ、平面プレート面上に載置された取引カードに正確に焦点が合うように配置されたエリアセンサからなることを特徴とする。このように、撮像台を正面に設けて、後方に傾斜させることにより、取引カードを載置することが容易となり、置き場所が見やすいので、所定の指定位置に正確に載置することが可能となる。
【００１６】
本発明の他の態様にかかる印刷装置は、印刷装置は、レシートプリンタからなり、店舗控用レシートの印刷データを、レシート用紙上に印刷することを特徴とする。店舗控用レシートを顧客用レシートと同じロール紙上に印刷することにより、１ステーションプリンタにより、取引カード処理に必要な書類の発行が可能となる。
【００１７】
本発明の他の態様にかかる印刷装置は、撮像指示信号が、取引カードが撮像台に載置されたことを検知するセンサからの出力信号からなることを特徴とする。この態様により、取引カードを撮像台に載置するだけで、画像が取得可能となり、その後の一連の処理が実行される。尚、本実施態様においては、センサからの検知信号を受信した後、所定の時間経過後に撮像を開始する構成とすることが望ましい。
【００１８】
本発明の他の態様にかかる印刷装置は、さらに操作入力部を備え、撮像指示信号は、操作入力部の操作による入力信号からなることを特徴とする。取引カードを所定の撮像台に載置した後に、操作入力部の操作により、撮像信号を入力して撮像を開始するものである。
【００１９】
本発明の第１の態様にかかる取引カードによる精算処理方法は、精算端末装置と、取引カード読取装置と、画像読取部を有する印刷装置とを備える精算システムにおいて、（ａ）取引データを入力する工程と、（ｂ）取引カード読取装置により取引カードの電子記録データを読み取る工程と、
（ｃ）電子記録データの読取エラーが発生した場合に、画像読取部により取引カードの画像データを取得する工程と、（ｄ）画像読取部により画像データを取得したときには、店舗控用レシートに少なくとも画像データ及び署名欄を印刷して、発行する工程と、（ｄ）店舗控用レシートが署名されて返却されたときに、精算処理を完結させる工程とを備えることを特徴とする。
【００２０】
本発明の他の態様にかかる取引カードによる精算処理方法は、工程（ｃ）が、精算時、常に取引カードの画像データを取得することを特徴とする。
【００２１】
本発明の他の態様にかかる取引カードによる精算処理方法は、工程（ｃ）乃至工程（ｄ）の画像読取り処理及び、店舗控用レシートに画像データを印刷する処理を、印刷装置に予め記憶された処理手順に従い、印刷装置により独立して実行することを特徴とする。この態様により、従来の取引カードによる精算処理システムを変更することなく、本発明にかかる印刷装置を導入するだけで、本発明にかかる店舗控用レシートを発行することが可能となる。
【発明の効果】
【００２２】
本発明によると、精算時に、クレジットカードの番号、取引明細、クレジットカードの画像データが印刷された店舗控用レシート上に顧客の署名がなされるので、クレジットカードの特定と署名とが一体となり、証明力の高い店舗控用レシートを発行することが可能となる。また、クレジットカードに記載されている署名も画像データとして取り込み店舗控用レシートに印刷し、さらに当該レシートに顧客の直筆の署名を記載するようにすると、その場で両方の署名を見比べることができ、即座に本人かどうかの識別が可能であり、また両方の署名の記録を残すことで、より証明力の高い店舗控用レシートを得ることができる。
【００２３】
また、クレジットカードと接触することなく画像を取得するので、クレジットカードの磨耗又は破損のおそれがなく、カード番号を含む鮮明な画像データを取得することが可能となる。さらに、インプリントのような不愉快な騒音を立てることもなく、静寂な環境での精算処理を維持することが可能となる。さらに、本発明の印刷装置を使用することにより、従来の精算システムとは独立して、画像取得処理及び店舗控用レシートへの画像印刷処理を実行させることが可能となる。従って、従来システムを変更することなく、本発明の実施が可能となる。
【発明を実施するための最良の形態】
【００２４】
図面を用いて本発明の最良の実施形態を説明する。
【００２５】
（本発明にかかる店舗控用レシートを使用したクレジット精算処理の手続き）
本発明は、取引カードによる精算に関するものであるが、以下の説明においては、取引カードの典型例である、クレジットカードを使用する場合を用いて説明する。
例えば、レストランで食事をし、又は各種店舗で所定の商品を購入した際には、精算カウンタ（レジ）において、精算処理を行なう。精算カウンタでは、提供したサービスに関するデータ入力又は購入商品データ入力が行われ、入力データに基づいて顧客の支払い合計金額が算出され、印刷装置により顧客用のレシートとして渡される。本発明においては、クレジットカードによる支払いの場合には、磁気記録読取装置（ＭＳＲ）により、クレジットカードに記録されている磁気記録データが読み取られ、さらに、画像読取部によりクレジットカードの画像情報を取得することが可能である。
【００２６】
次に、印刷装置により、店舗控用レシートが印刷されて、顧客が署名をし店舗の控え証明として保管される。本発明においては、クレジットカードの画像を取得した場合には、店舗控用レシートには、取引情報（購入商品名、支払い金額等）、及び顧客の署名欄等の他に、取得したクレジットカードの画像データが印刷される。顧客は、提示された店舗控用レシートに印刷された内容を確認した上で、間違いがなければ確認した証として自己の署名をし、店舗側に返却する。店舗ではクレジットカードに記載された署名と店舗控用レシートに直筆で書かれた署名とを比較して、本人確認を行う。
【００２７】
このとき、クレジットカードに記載された署名も画像データとして取り込み店舗控用レシートに印刷しておくと、同じレシート上に顧客の直筆の署名がなされるので、その場で両方の署名を見比べることができ、即座に本人かどうかの識別が可能である。署名された店舗控用レシートは、所定の期間、店舗または管理部門に保管される。これらの書類は、クレジットカード会社からの問合せや、クレジットカードの使用についての顧客からの質問、またはクレーム等があった場合に、取引の存在を証明する書類として使用される。本発明にかかる店舗控用レシートは、使用明細及び使用されたクレジットカードの画像が一体となっている一枚の用紙であり、その用紙上の顧客の署名がなされているので、現実の取引の実態をより正確に追跡でき、署名者の確認した範囲をより明確に証明することが可能となる。
【００２８】
このようなクレジットの画像データの印刷は、磁気記録データを読み取ることができなかった場合のみ、画像データを取得し、店舗控用レシートに印刷するような構成とすることも可能であるが、すべてのクレジット取引において、画像データを印刷した店舗控用レシートを発行するものとすることも可能である。なお、本発明の実施形態の説明では、クレジットカードの磁気記録データを磁気記録読取装置により読み取る例で説明しているが、ＩＣカード化されたクレジットカードの場合、記録された電子記録データを不図示の接触型あるいは非接触型のＩＣカード読取装置で読み取るようにしても良い。
【００２９】
（店舗控用レシートの実施例）
まず、図１に、本発明により発行される店舗控用レシート１０の一実施例を示す。最上段に定型の店舗名と電話番号１１が印刷され、その下には、購入者の名前と精算日及び取引データ１２が印刷されている。取引データとしては、購入商品名「ＡＢＣＤＥＦＧ」とその値段、割引金額、及び消費税額及び支払い合計金額が例示されている。さらにその下には、取得したクレジットカードの画像１３が印刷されており、最下段に線分が引かれた書名欄１４が設けられている。顧客はこれらの印刷内容に間違いがないかを確認した上で、クレジットカードによる精算処理を認めることの意思表示として署名をする。これらの情報に加えて、さらに、クレジットカード番号、レシート番号等の情報を印刷するようにすることも可能である。
【００３０】
また、図１では示していないが、署名欄１４の直近上部に、「本レシートに印刷されている支払額を、上記画像のクレジットカードにより精算することを希望する」旨の意思表示を示す文言(文章)を印刷しておくことも可能である。また署名欄１４の上部にクレジットカードに記載された署名も画像データとして取り込み、印刷しておくことも可能である。本発明にかかる店舗控用レシートは、クレジットカードの画像を備えることを特徴とするものであり、クレジットカードの画像以外の印刷項目については、本発明を実施する個々の店舗等において必要とする印刷項目を自由に追加し、または削除することができる。例えば、店舗控用レシートとジャーナルとに同じ連番を付してリンクさせることにより、店舗控用レシート上は、精算合計金額のみを記載することも可能である。取引内容に対する証明能力が低下するが、スーパー等のような店舗において取引項目（購入商品）が多い場合に、店舗控用レシートの印刷が取引内容により極端に変動することがなく、店舗控用レシートの保管が容易となる。
【００３１】
（店舗控用レシートを発行するシステムの構成例）
図２に、本発明にかかる印刷装置３０を用いた取引カードによる精算処理方法を実行するための店舗システムの一例を示す機能ブロック図を示す。図２の例では、ＰＯＳサーバとＰＯＳ端末装置とからなるＰＯＳシステムの例を示しているが、スタンドアロンの精算端末装置であっても本発明を適用することが可能である。また、ＰＯＳサーバ２１は、複数の店舗または売り場を管理するＰＯＳセンタの管理システムに接続されていてもよい。      
【００３２】
ＰＯＳサーバ２１には精算端末装置としてＰＯＳ端末装置２２が接続されており、ＰＯＳ端末装置２２からの要求に応じて、購入商品の価格情報を提供するとともに、在庫情報、販売情報を販売時点で即時に更新する。ＰＯＳ端末装置２２は、キー入力装置、バーコードスキャナ、表示機等（図示せず）を備えている。また、ＰＯＳ端末装置２２には、さらに印刷装置３０、磁気読取装置２５が接続されている。印刷装置３０は、所定の印刷用紙上に印刷を行う印刷部２３と、クレジットカードの画像データを取得する画像読取部２４とを備えている。
【００３３】
ＣＡＴ端末２６は、クレジットカードの与信状況をオンラインで確認するための照会端末であり、ＰＯＳシステムに接続されて、POSシステムからのクレジットカード番号に基づいて与信照会を行う構成とするができる。ＰＯＳシステムとは切り離し、独立した照会端末として使用することも可能である。ＣＡＴ端末２６は、通常、精算額が所定金額以上のときに、クレジットカードの与信状況を確認するために利用される。
【００３４】
例えば、スーパーマーケットにおいて顧客が所定の商品を購入すると、ＰＯＳ端末装置２２により、その商品に貼付されたバーコードがバーコードスキャナにより読み取られ、読み取られたバーコードデータに基づいて、購入商品の名称、価格データ等の商品情報が取引情報として入力される。ＰＯＳ端末装置２２には、印刷装置３０、磁気読取装置２５、画像読取部２４等が接続されている。印刷装置３０は、入力されたデータに基づいて、印刷用紙、伝票用紙等に、顧客用レシート及び店舗控用レシート１０等を印刷する。磁気読取装置２５は、クレジットカードを案内する読取溝に沿ってスライド移動させることにより、クレジットカードに記録された磁気記録データを読み取る。
【００３５】
印刷装置３０に設けられた画像読取部２４は、例えば、ＣＣＤ、又はＣＭＯＳ等からなるエリアセンサを備えており、クレジットカード表面のイメージデータ（画像データ）を取得し、電子データとして記憶する。画像読取手段として、コンタクトイメージセンサ（ＣＩＳ）を用いることもできるが、ＣＩＳの場合、エンボス文字の鮮明な画像を取得することが困難な場合もあるので、上述のような非接触型の画像読取手段を用いることが望ましい。
【００３６】
図３及び図４に、本発明の一実施形態にかかる印刷装置を示す。図３は、印刷装置３０の斜視図であり、図４は、その中央縦断面図である。この印刷装置３０では、印刷機能の他に、画像読取機能を備えている。印刷装置３０により印刷されたレシート等の印刷物は、レシート取出口３１から発行される。
【００３７】
印刷装置３０には、正面にガラス等のような透明に近い透光性を有する平面プレートを備える撮像台３２が設けられている。クレジットカードの画像を取得する場合には、撮像したい面を下にして撮像台３２上にクレジットカード７０（図４参照）を載置して、撮像を行う。撮像台３２には、クレジットカード７０を保持するための保持部材３３を設けることができる。
【００３８】
撮像台３２の裏側（印刷装置の内部）には、ＣＣＤ、Ｃ−ＭＯＳ等のエリアセンサ３６（図４参照）が設けられており、クレジットカード７０の画像データを取得することができる。尚、撮像台３２のガラス面の裏側をＣＩＳが接触移動するように構成することにより（図示せず）、ＣＩＳによる画像取得も可能である。
【００３９】
クレジットカード７０の撮像は、撮像スイッチ３４を設けて、撮像スイッチ３４を押下することにより撮像を開始するよう構成しても、クレジットカード７０が撮像台３２上にセットされたことをセンサ（図示せず）により検知して、所定期間内に自動的に撮像するような構成としてもよい。
【００４０】
読み取られた画像データは、印刷装置３０内の画像記憶部に記憶される。図４において、３７は印刷ヘッドであり、３８は印刷済みのレシート（例えば店舗控用レシート１０）を切断する可動刃である。図４では、ロール紙３９から印刷用紙を引出して、画像データを印刷する構成を示しているが、所定の様式の伝票を挿入して、伝票用紙上に画像データを印刷するようにしてもよい。また、店舗控用レシート１０を印刷する他の印刷ヘッドを設けることも可能である。
【００４１】
さらに、顧客の署名が完了した店舗控用レシート１０を撮像台３２上に載置して、署名後の店舗控用レシート１０を撮像し、撮像した画像データを検索可能に記憶するよう構成することも可能である。この場合には、取得した画像データは、精算端末、その他のいずれの装置内に記憶しても良いが、汎用的なＯＳで動作する端末装置内に記憶するのは、セキュリティの観点よりも、独自の仕様で動作する印刷装置内に記憶するのが望ましい。クレジットカードに記載された署名も画像データとして取り込み印刷し、さらに顧客の署名もなされた店舗用控用レシート１０を撮像しておくことも好ましい。
【００４２】
図５に、図３及び図４に示す印刷装置３０の機能ブロック図を示す。印刷装置３０は、ＰＯＳ端末装置等の精算端末装置２２とのインタフェース５１、制御部５２、印刷バッファ５３、印刷機構５４、画像記憶部６０、及びエリアセンサ等からなる画像読取部６２を備えている。制御部５２は、印刷装置３０の全体を統括制御する他、印刷に関する制御を行う印刷制御部５５、記憶した画像を検索する画像検索制御部５６、画像読取部６２を制御する画像読取制御部５８を備えている。
【００４３】
印刷装置３０は、図５に示すように、インタフェース５１を介して、ＰＯＳ端末装置等の精算端末装置に接続され通信を行う。印刷装置３０は、精算端末装置から受信した取引データに基づいて、店舗控用レシート１０及び顧客用レシート等の印刷を行うとともに、画像データを取得する。印刷制御部５５は、受信した取引データ等の印刷データを印刷バッファ５３に出力し、印刷機構５４を制御して印刷を実行させる。印刷機構５４は、印刷バッファ５３の内容を順次印刷用紙上に印刷することにより、各種レシート等を発行する。
【００４４】
画像読取部６２は、画像読取制御部５８の制御の下、撮像台３２に置かれたクレジットカード７０を撮像し、クレジットカード７０の画像データを取得する。取得した画像データは画像記憶部６０に記憶され、印刷時に印刷バッファに５３に出力されて、印刷機構５４により印刷される。
【００４５】
また、画像読取部６２により、読み取られた署名後の店舗控用レシート１０の画像データは、画像記憶部６０に、各検索可能に記憶される。検索可能に記憶するとは、例えば、店舗控用レシート番号、クレジット番号、または日付及び顧客の氏名等を検索キーにして、対応する画像データを検出して読み出すことができるように、記憶することをいう。記憶部６０はいわゆるＲＡＭやフラッシュＲＯＭ等のメモリーであっても、ディスク装置、またはＤＶＤ等の記録装置であっても良い。また、前述したように、セキュリティの観点からは、これらの画像データは印刷装置内に記憶することが好ましいが、精算端末装置、その他の装置内に記憶することも可能である。
【００４６】
さらに、クレジットカードの画像読取処理、店舗控用レシート印刷処理、署名済みの店舗控用レシートの記憶処理等の、クレジットカードによる精算処理に伴う本発明特有の精算処理をすべて制御部５２により制御するように構成することにより、印刷装置３０を導入するだけで、ＰＯＳ端末装置２２及びＰＯＳシステムの仕様を変更することなく、本発明にかかる技術を導入することが可能となる。
【００４７】
（店舗控用レシートの発行手順）
次にフローチャートを用いて、店舗控用レシートの発行手順を説明する。図６は、図２に示すような各種の装置を用いて、本発明にかかるクレジットカードによる精算処理を行う処理手順の第１の実施形態を示すフローチャートである。
【００４８】
レストラン又は美容マッサージ等においては各種サービスの提供の終了後に、小売店舗等においては購入商品を顧客が精算カウンタに持っていくことにより、精算処理を開始する。精算カウンタにおいて、提供サービス又は購入商品の名称、価格等の取引データが、バーコードスキャナやキー入力装置により精算端末装置に入力される（Ｓ１０１）。クレジットカードによる精算の場合には、磁気読取装置２５により、顧客から受領したクレジットカードの磁気記録データが読み取られる（Ｓ１０２）。
【００４９】
磁気記録データを読み取ることができた場合及びクレジットカードが撮像台３２に載置されない場合（Ｓ１０３；Ｎｏ）には、必要に応じて与信チェック（ブロック８１）が行われる。与信に問題がなければ（Ｓ１０６；Ｙｅｓ）、クレジットカードの画像が印刷されない店舗控用レシートが印刷され、発行される。
【００５０】
磁気記録の読み取りエラー又は撮像台３２にカードが載置された場合には（Ｓ１０３；Ｙｅｓ）、画像データの取得（Ｓ１０８）及びクレジットカード番号のキー入力（Ｓ１０９）が行われる。画像データの取得及びキー入力が終了すると（Ｓ１０８、Ｓ１０９）、必要に応じて与信チェック（ブロック８１）が行われる。与信に問題がなければ（Ｓ１１２；Ｙｅｓ）、クレジットカードの画像が印刷された店舗控用レシートが発行される（Ｓ１１３）。
【００５１】
与信チェックを行う場合（Ｓ１０４；Ｙｅｓ、１１０；Ｙｅｓ）、ＣＡＴシステム等を通じて、オンラインにより与信確認システムへ与信照会を行う（Ｓ１０５、Ｓ１１１）。与信照会により、当該クレジットカードの与信状況に問題がある場合には（Ｓ１０６；Ｎｏ、Ｓ１１２；Ｎｏ）、クレジットカードによる取引は中止される（Ｓ１１５）。
【００５２】
与信チェックを行わない場合（Ｓ１０４；Ｎｏ、Ｓ１１０；Ｎｏ）には、磁気記録データが読めたかどうかに応じて、クレジットカードの画像が印刷されない店舗控用レシートまたは、画像データが印刷された店舗控用レシートが発行される（Ｓ１０７、Ｓ１１３）。顧客が店舗控用レシートの内容を確認して署名を行うと、精算端末機により、精算処理を確定して、顧客用のレシートを発行し（Ｓ１１４）、次の精算処理を行うためのスタンバイ状態となる。
【００５３】
この例では、顧客による署名の終了後に、精算処理及びレシートを発行する構成を示したが、与信チェック完了後（Ｓ１０６；Ｙｅｓ、Ｓ１１２；Ｙｅｓ）、または与信チェック不要の判断後（Ｓ１０４；Ｎｏ、Ｓ１１０；Ｎｏ）すぐに精算処理を実行し、店舗控え用レシートと、顧客用レシートを連続して出力するようにすることも可能である。その際、レシート出力の順番はいずれが先でもよく、顧客用のレシートを先に印刷した後に店舗控用レシートを印刷するように構成してもよい。
【００５４】
尚、図６中のブロック８０及びブロック８１以外の処理を印刷装置で実行するように構成することにより、従来システムを変更することなく、本発明の処理を実施することが可能となる。
【００５５】
図７は、本発明にかかるクレジットカードによる精算処理を行う処理手順の第２の実施形態を示すフローチャートである。
この実施形態では、クレジットカードの磁気記録データを読み取り可能か否かに関係なくすべての処理において、画像データを印刷した店舗控用レシートを発行するものである。図７との違いは、磁気記録データの読取エラーが発生したら（Ｓ２０３；Ｙｅｓ）、カード番号の入力を行うこと（Ｓ２１０）、及びすべての店舗控用レシートにクレジットカードの画像を印刷することだけである（Ｓ２０８）。
【００５６】
尚、図６、図７のいずれにおいても、与信チェックのブロック８１は、省略するよう構成することが可能である。
【図面の簡単な説明】
【００５７】
【図１】図１に、本発明により発行される店舗控用レシートの例を示す図である。
【図２】本発明にかかる印刷装置を用いた取引カードによる精算処理方法を実行するための店舗システムの一例を示す機能ブロック図である。
【図３】本発明の一実施形態にかかる印刷装置を示す斜視図である。
【図４】図３に示す印刷装置の中央縦断面図である。
【図５】図３に示す印刷装置の機能ブロック図である。
【図６】本発明にかかるクレジットカードによる精算処理を行う処理手順の第１の実施形態を示すフローチャートである。
【図７】本発明にかかるクレジットカードによる精算処理を行う処理手順の第２の実施形態を示すフローチャートである。
【符号の説明】
【００５８】
１０  店舗控用レシート                  １２  取引データ
１３  クレジットカードの画像            １４  署名欄
３０  印刷装置                          ３１  レシート取出口
３２  撮像台                            ３３  保持部材
３４  撮像スイッチ                      ３６  エリアセンサ
３７  印刷ヘッド                        ３８  可動刃
３９  ロール紙
【図１】
2006099172.tif 000003
【図２】
2006099172.tif 000004
【図３】
2006099172.tif 000005
【図４】
2006099172.tif 000006
【図５】
2006099172.tif 000007
【図６】
2006099172.tif 000008
【図７】
2006099172.tif 000009